(57)【要約】【課題】１つの保持金具を用いて、サイズの異なる２種類のシールドケースを電子機器ケース内に保持することができるシールドケースの保持構造を提供する。【解決手段】シールドケース２又は３を、保持金具１３を介して本体ケース４に保持する。保持金具１３は、第１のシールドケース２を保持するための第１の切り欠き部１３Ａａを一側に有する第１の部分１３Ａと、この第１の部分１３Ａの他側に一側が連接され第１の部分１３Ａに直交する方向に延びる第２の部分１３Ｂと、この第２の部分１３Ｂの他側に一側が連接され第１の部分１３Ａと平行に延びる第３の部分１３Ｃとを有する。第３の部分１３Ｃの他側には第２のシールドケース３を保持するための第２の切り欠き部１３Ｃａが形成されている。【選択図】  図２
2005217363.tif 000002
【特許請求の範囲】
【請求項１】
シールドケースを内部に収納する電子機器ケースが、前面部と下面部とを開放する直方体形状の本体ケースを備え、その本体ケースの前面部及び下面部が前面部材及び下面部材にて閉塞され、この下面部材に複数の貫通穴部が形成され、これらの貫通穴部を通じて前記シールドケースの下部の接続端子が突出しているシールドケースの保持構造において、
前記貫通穴部を通じて前記接続端子が突出した状態で前記シールドケースの上部に保持金具の第１の係合部が係合され、この保持金具にて前記シールドケースが前記本体ケース内に保持される構成とされ、
前記保持金具は、前記第１の係合部に加えて、前記シールドケースとは別のシールドケースに係合する第２の係合部を有することを特徴とするシールドケースの保持構造。
【請求項２】
前記シールドケースは、ケース上下部に係合凸部がそれぞれ設けられ、
前記シールドケースが保持金具にて前記本体ケース内に保持される状態では、前記ケース上部側の係合凸部が前記保持金具の後面側に接触する一方、前記ケース下部側の係合凸部が前記下面部材に形成した被係合部に係脱可能に係合している請求項１記載のシールドケースの保持構造。
【請求項３】
前記保持金具は、平板を折り曲げて形成され、第１の部分と、この第１の部分に一側が連接され第１の部分に直交する方向に延びる第２の部分と、この第２の部分の他側に連接され第１の部分と平行にかつ反対側に延びる第３の部分とを有し、前記第１及び第３の部分の、第２の部分と連接される側と反対側に前記第１及び第２の係合部が形成され、前記第１及び第３の部分に、前記本体ケースへの固定のための取付孔が対応して設けられている請求項１又は２記載のシールドケースの保持構造。
【発明の詳細な説明】
【技術分野】
【０００１】
本発明は、主として板金製の電子機器ケースの内部にシールドケースを定位置に保持する、シールドケースの保持構造に関するものである。
【背景技術】
【０００２】
パラボラアンテナで受信した放送衛星（ＢＳ）及び通信衛星（ＣＳ）の信号を増幅し、別途アンテナで受信したＶＨＦ及びＵＨＦの信号と混合して出力する、屋外設置用のホーム共聴器は知られている（例えば、特許文献１参照）。
【０００３】
そして、そのようなホーム共聴器は、電子機器ケースの内部に、シールドケース（電子回路要素が取り付けられた回路基板が内蔵されている）が設けられている。
【０００４】
そのような電子機器ケース内へのシールドケースの保持は、例えば図９に示すように、シールドケース１０１の本体部１０１ａに切り起こし部１０１ｂを形成し、その切り起こし部１０１ｂに取付孔１０１ｃを設け、その取付孔１０１ｃにねじ（図示せず）を適用して電子機器ケース（図示せず）にねじ止めすることにより行われている。
【０００５】
また、電子機器ケースが合成樹脂製である場合には、図１０に示すように、シールドケース１０１’に形成した係合凸部１０１ｄを、電子機器ケース１０２に形成した弾性爪部１０２ａで係止して保持することが行われている。これは、電子機器ケース１０２を形成する合成樹脂の弾性を利用して、シールドケース１０１を保持するようにしたものである。
【特許文献１】特許第２７２０３７９号公報（段落０００１，００１３〜００２２及び図６参照）
【発明の開示】
【発明が解決しようとする課題】
【０００６】
前述したシールドケース１０１，１０１’の保持構造では、そのシールドケースのサイズに応じて、切り起こし部１０１ｂや弾性爪部１０２ａにてシールドケース１０１を保持する、電子機器ケース内での位置が異なるので、シールドケースのサイズが異なるごとに電子機器ケースを変更する必要がある。つまり、種類の異なる複数のシールドケースについて、それを収納する電子機器ケースを共通化することができない。
【０００７】
本発明は、シールドケースを電子機器ケースに保持するために使用する保持金具の形状を工夫することで、サイズの異なる２種類のシールドケースを共通の電子機器ケース内に保持することができるシールドケースの保持構造を提供することを目的とする。
【課題を解決するための手段】
【０００８】
請求項１の発明は、シールドケースを内部に収納する電子機器ケースが、前面部と下面部とを開放する直方体形状の本体ケースを備え、その本体ケースの前面部及び下面部が前面部材及び下面部材にて閉塞され、この下面部材に複数の貫通穴部が形成され、これらの貫通穴部を通じて前記シールドケース下部の接続端子が突出しているシールドケースの保持構造において、前記貫通穴部を通じて前記接続端子が突出した状態で前記シールドケースの上部に保持金具の第１の係合部が係合され、この保持金具にて前記シールドケースが前記本体ケース内に保持される構成とされ、前記保持金具は、前記第１の係合部に加えて、前記シールドケースとは別のシールドケースに係合する第２の係合部を有することを特徴とする。
【０００９】
このようにすれば、サイズが異なる２種類のシールドケースにそれぞれ係合する第１及び第２の係合部を保持金具に形成するだけで、サイズが異なる２種類のシールドケースを本体ケース（電子機器ケース）に選択的に保持することができ、サイズが異なる２種類のシールドケースについて共通の電子機器ケースを用いることができる。よって、サイズが異なる２種類のシールドケースについて電子機器ケースの共通化を図ることが可能となる。
【００１０】
請求項２に記載のように、前記シールドケースは、ケース上下部に係合凸部がそれぞれ設けられ、前記シールドケースが保持金具にて前記本体ケース内に保持される状態では、前記ケース上部側の係合凸部が前記保持金具の後面側に接触する一方、前記ケース下部側の係合凸部が前記下面部材に形成した被係合部に係脱可能に係合している構成とすることが望ましい。この係合凸部は、新たに設ける必要はなく、例えば、樹脂筐体に収納される際に、樹脂筐体の弾性爪部を引っかけるための係合凸部（例えば図１０の係合凸部１０１ｄ参照）を利用することができる。
【００１１】
このようにすれば、ケース上部側の係合凸部と保持金具との係合関係、及びケース下部側の係合凸部と下面部材の被係合部との係合関係で、シールドケースの前後方向の動きを規制でき、シールドケースの保持が安定する。
【００１２】
請求項３に記載のように、前記保持金具は、平板を折り曲げて形成され、第１の部分と、この第１の部分に一側が連接され第１の部分に直交する方向に延びる第２の部分と、この第２の部分の他側に連接され第１の部分と平行にかつ反対側に延びる第３の部分とを有し、前記第１及び第３の部分の、第２の部分と連接される側と反対側に前記第１及び第２の係合部が形成され、前記第１及び第３の部分に、前記本体ケースへの固定のための取付孔が対応して設けられている構成とすることができる。
【００１３】
このようにすれば、簡単な構造で、サイズが異なる２種類のシールドケースについて保持金具の共通化が図れる。つまり、保持金具を反転することで、シールドケースに第１の係合部が係合している場合には第３の部分が本体ケースに、シールドケースに第２の係合部が係合している場合には第１の部分が本体ケースにそれぞれ固定することになる。
【発明の効果】
【００１４】
以上のように構成したから、本発明は、第１及び第２の係合部を形成した保持金具を用いて、サイズの異なる２種類のシールドケースを電子機器ケース内に保持することができる。つまり、そのような保持金具を用いることで、サイズの異なる２種類のシールドケースについて、電子機器ケースを共通化することが可能となる。
【発明を実施するための最良の形態】
【００１５】
以下、本発明の実施の形態を図面に沿って説明する。
【００１６】
図１は本発明に係る電子機器ケースにおいて、カバー部材を開放した状態を示す斜視図、図２は本発明に係る本体ケース（電子機器ケース）と、シールドケースと、保持金具との関係を示す分解斜視図である。
【００１７】
図１及び図２に示すように、電子機器ケース１は、第１のシールドケース２又は第２のシールドケース３（別のシールドケース）を内部に収納するもので、板金加工により形成される。この電子機器ケース１は、前面部と下面部とが開放されている本体ケース４と、この本体ケース４の下面部を閉塞する下面部材５と、前記本体ケース４の前面部を閉塞する平板状の前面部材６と、前記本体ケース４の前面部側を開閉可能に覆うカバー部材７とで構成される。なお、マストなどの支持部に電子機器ケース１を取付けるために、本体ケース４の後側には、回転可能に取り付けられたＵボルト８と、そのＵボルト８の軸部８ａに移動可能に設けられる押さえ金具９と、固定のための２つの蝶ネジ１０とが設けられている。また、シールドケース２は、前述したシールドケース１０１’と基本的には同じ構造である。
【００１８】
本体ケース４の後面部には、ほぼ同じ高さの複数の突出部４ａ，４ｂが形成されている。上側の突出部４ａに後述の保持金具１３がねじ止めにより固定され、下側の突出部４ｂによって、本体ケース４の後面部とシールドケース２又は３との間に間隙が形成される。
【００１９】
シールドケース２，３は、それぞれ、前後面が開放される断面矩形状の枠体２Ａ，３Ａと、その枠体２Ａ，３Ａの前後面を閉塞する前後の蓋体２Ｂ，３Ｂとで構成され、電子回路要素が取り付けられた回路基板が内蔵され、それら電子回路要素に接続される複数の接続端子２ａ，３ａが枠体２Ａ，３Ａの一側面から外部に突出している。
【００２０】
図２に示すように、枠体２Ａの前後面付近には長さの異なる突条部２Ａａ，２Ａｂ，２Ａｃ，２Ａｄが側縁に沿って設けられる一方、蓋体２Ｂの周縁部に突条部２Ａａ，２Ａｂ，２Ａｃ，２Ａｄに係脱可能に係合する複数の弾性爪部２Ｂａが設けられ、突条部２Ａａ，２Ａｂ，２Ａｃ，２Ａｄと弾性爪部２Ｂａとの係合関係で枠体２Ａに蓋体２Ｂが取り付けられることにより、第１のシールドケース２が構成される。そして、枠体２Ａの一側縁において、突条部２Ａｃと突条部２Ａｄとの間に、突起部２Ａｅが設けられている。
【００２１】
一方、第２のシールドケース３は、図３に示すように、枠体３Ａの前後面付近には長さの異なる突条部３Ａａ，３Ａｂ，３Ａｃが側縁に沿って設けられる一方、蓋体３Ｂの周縁部に突条部３Ａａ，３Ａｂ，３Ａｃに係脱可能に係合する複数の弾性爪部３Ｂａが設けられ、突条部３Ａａ，３Ａｂ，３Ａｃと弾性爪部３Ｂａとの係合関係で枠体３Ａに蓋体３Ｂが取り付けられて構成されている。そして、枠体３Ａの一側縁において、突条部３Ａｃの間に、突起部３Ａｄが設けられている。ここで、突起部２Ａｅ，３Ａｄはシールドケース２，３の大きさに応じて適宜形成されるものである。
【００２２】
また、本体ケース４の下部には、下面部材５をねじ止めにより固定するための第１のガイド部材１１と、前部部には前面部材６を取付固定するための第２のガイド部材１２とがそれぞれ設けられている。
【００２３】
下面部材５には、図３及び図４に示すように、シールドケース２，３の接続端子２ａ，３ａを外部に突出させるための複数の貫通穴部５ａと、それらの貫通穴部５ａに対応して防水キャップ１５を取り付けるための筒状部５ｂとが形成されている。
【００２４】
保持金具１３は、図７に示すように、平板を折り曲げて断面ほぼＺ形状に形成されており、第１の部分１３Ａと、この第１の部分１３Ａに一側が連接され第１の部分１３Ａに直交する方向に延びる第２の部分１３Ｂと、この第２の部分１３Ｂの他側に連接され第１の部分１３Ａと平行にかつ反対側に延びる第３の部分１３Ｃとを有する。
【００２５】
第１及び第３の部分１３Ａ，１３Ｃの、第２の部分１３Ｂと連接される側と反対側に第１及び第２の係合部としての矩形状の切り欠き部１３Ａａ，１３Ｃａが形成されている。第１及び第３の部分１３Ａ，１３Ｃには、本体ケース４への固定のための取付孔１３Ａｂ，１３Ｃｂがそれぞれ対応して設けられ、それら取付孔１３Ａｂ，１３Ｃｂにねじ１４を用いて、本体ケース４の突出部４ａに取付固定される。
【００２６】
つまり、電子機器ケース１は、サイズの異なる（接続端子２ａ，３ａの数が異なる）２種類の第１及び第２のシールドケース２，３を収納することができ、電子機器ケース１の共通化を図ることができる。このとき、必要なくなる（つまり、接続端子が突出しない）貫通穴部５ａに対応する筒状部５ｂには、マスク用の防水キャップ１５が着脱可能に取り付けられる。
【００２７】
第１のシールドケース２又は第２のシールドケース３を保持するとき、いずれも同一の保持金具１３で保持することができる。つまり、保持金具１３は、第１のシールドケース２の上部に嵌り込む第１の切り欠き部１３Ａａと、第２のシールドケース３の上部に嵌り込む第２の切り欠き部１３Ｃａとを備える構成としている。このようにすれば、第１のシールドケース２や第２のシールドケース３そのものには、特別な係合部（係合凸部や切り欠き部等）を形成していないので、他の樹脂筐体などにも適用することができる。
【００２８】
上記のように構成すれば、第１のシールドケース２を保持するときには、保持金具１３の第１の切り欠き部１３Ａａに第１のシールドケース２上部を嵌め込み、本体ケース４の突出部４ａに保持金具１３の第３の部分１３Ｃをねじ止めする（図５参照）。
【００２９】
この状態で、第１のシールドケース２は保持金具１３の第１の部分１３Ａにおける切り欠き部１３Ａａに嵌り込んでいるので、第１のシールドケース２の左右方向の動きが規制される。
【００３０】
また、保持金具１３の第１の切り欠き部１３Ａａに嵌り込むことで、第１のシールドケース２は、保持金具１３と下面部材５との間に挟まれ、上下方向の動きが規制される（図８参照）。
【００３１】
さらに、第１のシールドケース２の前後方向の動きは、上側部分においては、第１のシールドケース２の樹脂筐体使用時において弾性爪部（図１０の弾性爪部１０２ａ参照）を引っ掛けるための突起部２Ａｅ（第２のシールドケース３の場合は突起部３Ａｅ）を利用し、このケース上部の突起部２Ａｅ（係合凸部）を保持金具１３の第１の部分１３Ａの後面側に接触させることで規制する（図８参照）。また、下側部分については、第１のシールドケース２（枠体２Ａ）の下端部より下方に突出するケース下部の係合凸片２Ａｆが、下面部材５の上面に形成される係合凸部５ｃ（被係合部）と係合し、それらの係合関係で規制する。
【００３２】
一方、第２のシールドケース３を保持する場合には、保持金具１３を１８０度回転させ、反対側の第３の部分１３Ｃに設けた第２の係合部１３Ｃａに第２のシールドケース３の上部を嵌め込み、その状態で本体ケース４と保持金具１３との関係を利用して、前述した第１のシールドケース２の場合と同様に、各部分での係合関係を利用して保持する（図６参照）。
【００３３】
この場合も、第１のシールドケース２の場合と同様に、左右方向、上下方向及び前後方向の動きが規制される。
【００３４】
本発明に係るシールドケースの保持構造は、前記実施の形態に制限されるものではなく、次のように構成することも可能である。
【００３５】
(i)前記実施の形態では、１つの保持金具１３が２種類の切り欠き部１３Ａａ，１３Ｃａを備え、幅の異なる２種類のシールドケース２，３を保持できるようにしているが、切り欠き部１３Ａａ，１３Ｃａとは異なる幅の切り欠き部を有する別の保持金具を用意することで、さらに別の２種類のシールドケースを保持することも可能となる。つまり、２種類の保持金具を準備すれば幅の異なる４種類のシールドケースを、３種類の保持金具を準備すれば幅の異なる６種類のシールドケースを保持することが可能となる。
【００３６】
(ii)前記実施の形態では、下面部材５を第１のガイド部材１１にねじ止めにより固定するようにしているが、前面側からシールドケース２，３を装入することができればよいので、下面部材５を第１のガイド部材１１に溶接により固定するようにしてもよい。
【００３７】
(iii)前記実施の形態では、本体ケース４の後面部とシールドケース２又は３との間に間隙が形成されるように、本体ケース４の後面部に、ほぼ同じ高さの複数の突出部４ａ，４ｂを形成しているが、それらは必ずしも必要ではなく、省略することも可能である。
【００３８】
(iv)前記実施の形態においては、本体ケース４の前面部には、前面部材６と、それを取付固定する第２のガイド部材１２とが設けられているが、本体ケース４の前面部は最終的にはカバー部材７にて覆われ、シールドケース２，３は保護されるので、前面部材６と、第２のガイド部材１２とを省略することも可能である。
【図面の簡単な説明】
【００３９】
【図１】本発明に係る電子機器ケースにおいて、カバー部材を開放した状態を示す斜視図である。
【図２】本発明に係る本体ケースと、第１のシールドケースと、保持金具との関係を示す分解斜視図である。
【図３】本発明に係る本体ケースと、第２のシールドケース（別のシールドケース）と、保持金具との関係を示す分解斜視図である。
【図４】本発明に係る本体ケースと、下面部材との関係を示す斜視図である。
【図５】本発明に係る本体ケースに、保持金具を用いて第１のシールドケースを保持した状態の斜視図である。
【図６】本発明に係る本体ケースに、保持金具を用いて第２のシールドケースを保持した状態の斜視図である。
【図７】本発明に係る保持金具の説明図である。
【図８】本発明に係る保持金具と、第１のシールドケースの係合凸部との関係を示す説明図である。
【図９】従来のシールドケースの説明図である。
【図１０】従来のシールドケースの保持構造を示す説明図である。
【符号の説明】
【００４０】
１    電子機器ケース
２    第１のシールドケース
２Ａｅ    突起部
２Ａｆ    係合凸片
２ａ    接続端子
３    第２のシールドケース
３ａ    接続端子
４    本体ケース
５    下面部材
５ａ    貫通穴部
５ｂ    筒状部
５ｃ    係合凸部（被係合部）
１３    保持金具
１３Ａ    第１の部分
１３Ａａ    第１の切り欠き部
１３Ｂ    第２の部分
１３Ｃ    第３の部分
１３Ｃａ    第２の切り欠き部
【図１】
2005217363.tif 000003
【図２】
2005217363.tif 000004
【図３】
2005217363.tif 000005
【図４】
2005217363.tif 000006
【図５】
2005217363.tif 000007
【図６】
2005217363.tif 000008
【図７】
2005217363.tif 000009
【図８】
2005217363.tif 000010
【図９】
2005217363.tif 000011
【図１０】
2005217363.tif 000012